(57)【特許請求の範囲】
【請求項１】
構築物に垂直に延設されたラックレールと、このラックレールに対して着脱自在で、ラックレールに沿って昇降する昇降機とを具備し、
前記ラックレールは、縦方向の係合孔列を有するウェブと、このウェブから左右に延出したフランジとを具備し、
前記昇降機は、取付状態において前記ラックレールの係合孔列に噛み合う駆動ギアと、ラックレールのフランジに左右両側から前後方向に夫々係合するように設けられた上部及び下部のガイドローラとを具備する昇降装置において、
前記上部ガイドローラは、昇降機上で前記ラックレールのフランジに沿って昇降機の昇降を案内する動作位置とこれより下方の装着位置とにおいて固定できるように両位置間を移動可能に支持され、
前記ラックレールは、前記上部ガイドローラを装着位置に配置してある前記昇降機を所定の取付位置において、前後方向に係合、離脱操作できるように、前記駆動ギア、上部ガイドローラ及び下部ガイドローラを前記フランジの前後に通過させるべくフランジを切り欠くと共に、駆動ギアを係合孔に挿入させるべくウェブを切り欠いた切欠部を具備し、
前記ラックレールの取付位置で切欠部を通じて駆動ギアをウェブの係合孔に係合させると共に、前記上部及び下部ガイドローラを切欠部においてフランジに係合可能に臨ませてから、上部ガイドローラをフランジに係合させつつ上方へ移動させ前記動作位置で固定することにより、昇降機をラックレールに取り付けることを特徴とする昇降装置。
【請求項２】
前記ラックレールの切欠部より下方位置に、前記昇降機の下部に当接してそれ以上の下降を阻止するためのストッパがさらに設けられ、このストッパは、ラックレールの前面側において起立、転倒自在で、転倒位置において昇降機を前記取付位置にガイドし、起立位置において取付位置より上方で昇降機の下降を阻止するように構成されていることを特徴とする請求項１に記載の昇降装置。
【発明の詳細な説明】
【０００１】
【発明の属する技術分野】
この発明は、構築物に予め取り付けられているラックレールに可搬型の昇降機を装着して使用される簡易昇降装置に関するものである。
【０００２】
【従来の技術】
従来各種の可搬型の昇降機を用いた昇降装置が提案されているが、何れもレールへの装着、取り外しの際に、ギア装置等の係合部分を分解、再組立する必要があり、作業が容易でない。
【０００３】
【発明が解決しようとする課題】
従って、この発明は、レールへ昇降機を容易に装着し、また取り外しすることができる昇降装置を提供することを目的としている。
【０００４】
【課題を解決するための手段】
上記課題を解決するため、この発明においては、鉄塔のような構築物に垂直に延設されたラックレール２に、昇降機３の駆動ギア４，５及び上部、下部のガイドローラ６，７を噛み合わせて昇降させる昇降装置１において、ラックレール２の下部に、駆動ギア４，５とガイドローラ６，７を前後方向に通過させるように上下の切欠部２ｆ、２ｅを設ける。上部ガイドローラ７は、昇降機３の支柱９に対して上方の所定の動作位置で固定可能であると共に、下方の装着位置へ配置可能である。このガイドローラ７を装着位置に配置した状態で、全ガイドローラ６，７及び駆動ギア４，５をラックレール２の切欠部２ｆ、２ｅに合致させ、昇降機をラックレール２に対して前後方向に係合、離脱操作できるようにした。
【０００５】
【発明の実施の形態】
図面を参照して本発明の実施の形態を説明する。図１は昇降装置の側面図、図２は昇降装置の正面図、図３はラックレールの側面図、図４はラックレールの正面図、図５はストッパの起立状態の側面図である。
【０００６】
図において、昇降装置１は、ラックレール２と、昇降機３とを具備する。ラックレール２は、鉄塔のような構築物に垂直に延設される。昇降機３は、ラックレール２に対して、下方の取付位置において着脱自在で、取付状態においてラックレール２に駆動ギア４，５を及びガイドローラ６，７を噛み合わせてラックレール２に沿って昇降する。
【０００７】
ラックレール２は、ウェブ２ａと、フランジ２ｂとを具備する。ウェブ２ａは、駆動ギア４が噛み合う縦方向の係合孔２ｃ列を有する。フランジ２ｂには、ガイドローラ６，７が左右から転動自在に係合する。
【０００８】
昇降機３は、搭乗者が立つステップ８、ステップ８から起立した支柱９、支柱９上に設けられたハンドル１０及び操作部１１を有する。ハンドル１０は、搭乗者が立ち姿勢でつかまることができる高さ位置に配置され、操作部１１はハンドルの近傍位置に設けられる。ステップ８の下部には駆動部１２が設けられる。駆動部１２には、動力源につながる駆動ギア４，５と、ラックレール２のフランジ２ｂに係合する下部ガイドローラ６を備える。
【０００９】
上部ガイドローラ７は、下部ガイドローラ６の上方に離れた支柱９の中間位置に支持部１３を介して固定される。上部ガイドローラ７は、ラックレール２のフランジ２ｂに左右両側から係合するように設けられる。上部ガイドローラ７を支柱９に支持する支持部１３は、支柱に対して所定の動作位置（図１、図２に実線で示す位置）においてピン１４で固定可能であると共に、下方へ移動してステップ８近傍の装着位置（図１、図２に仮想線で示す位置）へ配置可能である。昇降機３は、上部ガイドローラ７を下方の装着位置に配置した状態で、ラックレール２へ取り付けられる。
【００１０】
ラックレール２の下部には、ラックレール２に対して昇降機３を前後方向に係合、離脱操作するための装着部２ｄが設けられる。装着部２ｄは、駆動ギア４，５と下部ガイドローラ６を前後方向に通過させるようにフランジ２ｂを切除して形成された下部切欠部２ｅと、装着位置に配置された上部ガイドローラ７を前後方向に通過させるようにフランジ２ｂを切除して形成された上部切欠部２ｆとを具備する。下部切欠部２ｅは、係合孔２ｃに至る位置までフランジ２ｂとウェブ２ａの一部が切除され、駆動ギア４，５を係合孔２ｃの列の位置まで前方から挿入できるようになっている。
【００１１】
ラックレール２の下部切欠部２ｅより下方位置にストッパ１５が設けられている。ストッパ１５は、ラックレール２の前面側において起立、転倒自在であり、起立状態において、昇降機３の下部に当接してそれ以上の下降を阻止すると共に、リミットスイッチを動作させて下降動作を止める。ストッパ１５は、転倒位置（図３）において、昇降機３を載せてラックレール２への取付位置にガイドし、起立位置において、この取付位置より上方で昇降機３の下降を阻止する。したがって、ストッパ１５が起立している状態で、昇降機３がラックレール２から離脱することはない。
【００１２】
昇降装置１の使用に当たっては、まずラックレール２に昇降機３を取り付ける。ラックレール２のストッパ１３を転倒状態に置き、その上に昇降機３を載せることで昇降機３が所定の取り付け位置に配置される。このとき、上部ガイドローラ７を下方の装着位置に配置しておく。昇降機３をラックレール側へ押し込むと、駆動ギア４，５と下部ガイドローラ６が、ラックレール２の下部切欠部２ｅ通過し、また、上部ガイドローラ７が、上部切欠部２ｆを通過して、夫々係合孔２ｃまたはフランジ２ｂに係合できる位置に配置される。上部ガイドローラ７をフランジ２ｂに沿って上方へ移動させ、所定の動作位置へ固定すれば、昇降機３はラックレール２から外れなくなる。この状態で装置を起動させ、わずかに上昇させて停止し、ストッパ１３を起立させる。ストッパ１３が起立することにより、ラックレール２の下部切欠部２ｅの前方が閉鎖され、また昇降機３が取り付け位置まで下降することができなくなるので、昇降機３がラックレール２から離脱することはなくなる。昇降機３をラックレール２から外すには、ストッパ１３の上方で一旦停止させた後、ストッパ１３を転倒させ、上部ガイドローラ７を下方の装着位置に移動させ、ストッパ１３上を滑らせて前方へ引き出せばよい。
【００１３】
【発明の効果】
以上のように、本発明においては、ラックレール２の下部に、駆動ギア４，５とガイドローラ６，７を前後方向に通過させるように上下の切欠部２ｆ、２ｅを設け、上部ガイドローラ７は、昇降機３の支柱９に対して上方の所定の動作位置で固定可能にすると共に、下方の装着位置へ配置可能とし、このガイドローラ７を装着位置に配置した状態で、全ガイドローラ６，７及び駆動ギア４，５をラックレール２の切欠部２ｆ、２ｅに合致させ、昇降機をラックレール２に対して前後方向に係合、離脱操作できるようにしたため、レール２へ昇降機を容易に装着し、また取り外しすることができる昇降装置を提供できる。
【図面の簡単な説明】
【図１】昇降装置の側面図である。
【図２】昇降装置の正面図である。
【図３】ラックレールの側面図である。
【図４】ラックレールの正面図である。
【図５】ストッパの起立状態の側面図である。
【符号の説明】
１    昇降装置
２    ラックレール
２ａ  ウェブ
２ｂ  フランジ
２ｃ  係合孔
２ｄ  装着部
２ｅ  切欠部
２ｆ  切欠部
３    昇降機
４    駆動ギア
４    駆動ギア
６    ガイドローラ
７    ガイドローラ
８    ステップ
９    支柱
１０  ハンドル
１１  操作部
１２  駆動部
１３  支持部
１４  ピン
１５  ストッパ
【図１】
0004029962.tif 000002
【図２】
0004029962.tif 000003
【図３】
0004029962.tif 000004
【図４】
0004029962.tif 000005
【図５】
0004029962.tif 000006